【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
診断システム（１０）を出る廃棄物流の処置のための受動的重力駆動処置システム（２００）であって、前記システム（２００）は、
（ａ）前記廃棄物流およびラジカル開始剤を受け入れるための、前記診断システム（１０）に流体接続されている均質化リザーバ（２０１）であり、前記廃棄物流は、少なくとも１つの標的化合物を含有する油相流体成分および水性流体成分を含み、浮力の結果として、前記油相流体成分は、前記均質化リザーバ（２０１）内にあるとき、前記水性流体成分の上に上昇して浮き、上層の油排出物（２２０）および下層の標的排出物（２２２）を形成し、前記ラジカル開始剤は前記標的排出物内に配置される、均質化リザーバと、
（ｂ）チャネル（２０２）を介して前記均質化リザーバ（２０１）に流体接続されるラジカル生成リザーバ（２０４）であり、前記チャネル（２０２）は、前記均質化リザーバの第１の出口（２１１）および前記ラジカル生成リザーバ（２０４）の入口（２１３）に接続され、前記第１の出口（２１１）は、前記均質化リザーバの基部（２１５）の付近に位置決めされ、前記入口（２１３）は、前記ラジカル生成リザーバの基部（２１７）にまたは付近に位置決めされ、重力が、前記均質化リザーバ（２０１）から前記チャネル（２０２）を介して前記ラジカル生成リザーバ（２０４）への前記標的排出物の流れを容易にする、ラジカル生成リザーバと、
（ｃ）前記ラジカル生成リザーバ（２０４）に結合されるラジカルジェネレータ（２１６）であり、前記ラジカルジェネレータ（２１６）は、前記標的排出物が前記ラジカル生成リザーバ（２０４）内に配置されている間に前記標的排出物を照射し、前記標的化合物を分解する促進酸化処理（ＡＯＰ）を助長するように構成されており、前記ラジカル開始剤は、前記ラジカル開始剤が前記ラジカルジェネレータ（２１６）に暴露されるときに前記ＡＯＰを加速するのに有効であり、したがって、前記標的化合物の検出可能な濃度が低減し、前記標的排出物が処置済み排出物になる、ラジカルジェネレータと、
（ｄ）前記ラジカル生成リザーバの廃棄物出口（２１４）から出る前記処置済み排出物を受け入れるための第１の処分ユニット（２０８）と、
（ｅ）前記均質化リザーバの廃油出口（２１２）から出る前記油排出物を受け入れるための第２の処分ユニット（２０９）であり、前記廃油出口（２１２）は前記下層の標的排出物の上方に位置決めされて、重力により容易にされる、前記均質化リザーバ（２０１）からの前記油排出物の排出のためのルートを提供する、第２の処分ユニットと
を備える、受動的重力駆動処置システム（２００）。
【請求項２】
前記標的化合物は３，３'−ジアミノベンジジン（ＤＡＢ）である、請求項１に記載のシステム（２００）。
【請求項３】
前記流体成分は、バイオフィルムまたは部分的に乾燥したスラッジをさらに含む、請求項１または２に記載のシステム（２００）。
【請求項４】
前記均質化リザーバ（２０１）の基部に排出弁（２０３）が配置されており、前記排出弁（２０３）は、前記システムを空にするのに有効である、請求項１から３のいずれか一項に記載のシステム（２００）。
【請求項５】
前記ラジカル開始剤は、個々にもしくは組み合わせて利用される、紫外線（「ＵＶ」）過酸化物光開始剤、熱過酸化物開始剤、アゾ熱／光分解開始剤、ニトロキシドラジカル開始剤、有機光増感剤、または、無機半導体ナノ材料である、請求項１から４のいずれか一項に記載のシステム（２００）。
【請求項６】
前記ラジカルジェネレータ（２１６）はＵＶ照射源を備える、請求項１から５のいずれか一項に記載のシステム（２００）。
【請求項７】
前記ラジカルジェネレータ（２１６）は、直列流水式ＵＶ照射システムを形成するように、前記ラジカル生成リザーバ（２０４）の内部に配置されている、請求項１から６のいずれか一項に記載のシステム（２００）。
【請求項８】
前記ラジカルジェネレータ（２１６）は、トップダウンＵＶ照射システムを形成するように、前記ラジカル生成リザーバ（２０４）から上方に距離をおいて位置決めされている、請求項１から６のいずれか一項に記載のシステム（２００）。
【請求項９】
前記標的排出物を照射するＵＶ光の量が所定の閾値よりも大きいことを保証するために、前記ラジカルジェネレータ（２１６）にフィードバック機構が結合されている、請求項１から８のいずれか一項に記載のシステム（２００）。
【請求項１０】
診断システム（１０）を出る廃棄物流を処置するための方法であって、前記方法は、
（ａ）前記診断システム（１０）に動作可能に結合される、請求項１に記載の受動的重力駆動処置システム（２００）を提供することと、
（ｂ）ラジカル開始剤を提供することと、
（ｃ）前記診断システム（１０）からの前記廃棄物流および前記ラジカル開始剤を均質化リザーバ（２０１）へと導入することであり、前記廃棄物流は、少なくとも１つの標的化合物を含有する油相流体成分および水性流体成分を含み、浮力の結果として、前記油相流体成分は、前記均質化リザーバ（２０１）内にあるとき、前記水性流体成分の上に上昇して浮き、上層の油排出物および下層の標的排出物を形成し、前記ラジカル開始剤は前記標的排出物内に配置される、導入することと、
（ｄ）前記均質化リザーバ（２０１）からチャネル（２０２）を介して前記ラジカル生成リザーバ（２０４）へと前記標的排出物を導入することであり、重力が、前記均質化リザーバ（２０１）から前記ラジカル生成リザーバ（２０４）への前記標的排出物の流れを容易にする、導入することと、
（ｅ）前記標的排出物が前記ラジカル生成リザーバ（２０４）内に配置されている間に、前記ラジカルジェネレータ（２１６）を介して前記標的排出物を照射することであり、前記照射は、前記標的化合物を分解する促進酸化処理（ＡＯＰ）を引き起こし、前記ラジカル開始剤は、前記ラジカル開始剤が前記ラジカルジェネレータ（２１６）に暴露されるときに前記ＡＯＰを加速し、したがって、前記標的化合物の検出可能な濃度が低減し、前記標的排出物が処置済み排出物になる、照射することと、
（ｆ）前記ラジカル生成リザーバ（２０４）の廃棄物出口（２１４）から出る前記処置済み排出物を第１の処分ユニット（２０８）内へと排出することと、
（ｇ）前記均質化リザーバ（２０１）の廃油出口（２１２）から出る前記油排出物を前記第２の処分ユニット（２０９）へと排出することであり、前記油排出物の前記排出は重力によって容易にされる、排出することと
を含む、方法。
【請求項１１】
前記標的化合物は３，３'−ジアミノベンジジン（ＤＡＢ）である、請求項１０に記載の方法。
【請求項１２】
前記流体成分は、バイオフィルムまたは部分的に乾燥したスラッジをさらに含む、請求項１０または１１に記載の方法。
【請求項１３】
前記システムを空にするための手段を提供するために、前記均質化リザーバ（２０１）の基部に排出弁（２０３）が配置されている、請求項１０から１２のいずれか一項に記載の方法。
【請求項１４】
前記ラジカル開始剤は、個々にもしくは組み合わせて利用される、紫外線（「ＵＶ」）過酸化物光開始剤、熱過酸化物開始剤、アゾ熱／光分解開始剤、ニトロキシドラジカル開始剤、有機光増感剤、または、無機半導体ナノ材料である、請求項１０から１３のいずれか一項に記載の方法。
【請求項１５】
前記ラジカルジェネレータ（２１６）はＵＶ照射源を備える、請求項１０から１４のいずれか一項に記載の方法。